(57)【要約】【課題】遊技機本体から排出されて落下する遊技球の跳ね返り自体を抑制する遊技球収容構造体を提供する。【解決手段】遊技機本体１１０から排出される遊技球Ｂを収容する遊技球収容構造体１は、遊技球Ｂを受ける側の第１の面１０１をもつ第１の底面部１０と、第１の底面部１０を囲う壁面部１１と、第１の底面部１０の壁面部１１と交わる位置に設けられ、周回方向に延在し、かつ、遊技球Ｂが通過不能な幅をもつ複数のスリット１２と、を備えることを特徴とする。【選択図】図２
2016220828.tif 000002
【特許請求の範囲】
【請求項１】
遊技機本体から排出される遊技球を収容する遊技球収容構造体であって、
前記遊技球を受ける側の第１の面をもつ第１の底面部と、
前記第１の底面部を囲う壁面部と、
前記第１の底面部の前記壁面部と交わる位置に設けられ、周回方向に延在し、かつ、前記遊技球が通過不能な幅をもつ複数のスリットと、を備える
ことを特徴とする遊技球収容構造体。
【請求項２】
前記複数のスリットが周回方向に長くなるように延在することを特徴とする請求項１に記載の遊技球収容構造体。
【請求項３】
前記第１の底面部が、前記第１の面において、前記遊技球を受ける位置を含む範囲が凸状となるように形成されたことを特徴とする請求項１又は２に記載の遊技球収容構造体。
【請求項４】
さらに、前記第１の底面部の前記第１の面とは反対側の第２の面側に第２の底面部を備えることを特徴とする請求項１から３のいずれか１項に記載の遊技球収容構造体。
【発明の詳細な説明】
【技術分野】
【０００１】
本発明は、遊技機本体から排出されて落下する遊技球を収容する遊技球収容構造体に関する。
【背景技術】
【０００２】
従来、遊技機本体から排出されて落下して玉受け部で跳ね返る遊技球が玉受け部からこぼれないように、玉受け部の周りを壁部から延出した延出壁部材で囲っている遊技機の出玉計数装置が知られている（例えば、特許文献１参照）。しかしながら、遊技機の機種によっては、遊技機本体に対する玉受け部の位置が異なり、必ずしも遊技球のこぼれを防止できないという課題があった。
【先行技術文献】
【特許文献】
【０００３】
【特許文献１】特開２００９−８９７８６号公報
【発明の概要】
【発明が解決しようとする課題】
【０００４】
本発明は、このような事情に鑑みてなされたものであり、遊技機本体から排出されて落下する遊技球の跳ね返り自体を抑制する遊技球収容構造体を提供する。
【課題を解決するための手段】
【０００５】
本発明は、以下の構成によって把握される。
（１）本発明に係る第１の観点は、遊技機本体から排出される遊技球を収容する遊技球収容構造体であって、遊技球を受ける側の第１の面をもつ第１の底面部と、第１の底面部を囲う壁面部と、第１の底面部の壁面部と交わる位置に設けられ、周回方向に延在し、かつ、遊技球が通過不能な幅をもつ複数のスリットと、を備えることを特徴とする。
【０００６】
（２）上記（１）に記載の遊技球収容構造体において、複数のスリットが周回方向に長くなるように延在してもよい。
【０００７】
（３）上記（１）又は（２）に記載の遊技球収容構造体において、第１の底面部が、第１の面において、遊技球を受ける位置を含む範囲が凸状となるように形成されてもよい。
【０００８】
（４）上記（１）から（３）のいずれか１つに記載の遊技球収容構造体において、第１の底面部の第１の面とは反対側の第２の面側に第２の底面部を備えてもよい。
【発明の効果】
【０００９】
本発明によれば、遊技機本体から排出されて落下する遊技球の跳ね返り自体を抑制する遊技球収容構造体を提供できる。
【図面の簡単な説明】
【００１０】
【図１】本発明の第１実施形態に係る遊技球収容構造体を備えた遊技機を示す概略斜視図である。
【図２】本発明の第１実施形態に係る遊技球収容構造体を示す斜視図である。
【図３】本発明の第１実施形態に係る遊技球収容構造体を示す平面図である。
【図４】本発明の第１実施形態に係る遊技球収容構造体の図３におけるＡ−Ａ断面図である。
【図５】本発明の第２実施形態に係る遊技球収容構造体の図３におけるＡ−Ａ断面図に相当する断面図である。
【図６】本発明の第３実施形態に係る遊技球収容構造体の図３におけるＡ−Ａ断面図に相当する断面図である。
【発明を実施するための形態】
【００１１】
以下、添付図面を参照して、本発明を実施するための形態（以下、「実施形態」と称する）について詳細に説明する。実施形態の説明の全体を通して同じ要素には同じ番号を付している。
【００１２】
（第１実施形態）
（（遊技機１００の構成））
まず、第１実施形態の遊技球収容構造体１が適用される遊技機１００について、図１を参照しつつ、詳細に説明する。図１において、遊技機１００は、遊技球Ｂを収容する遊技球収容構造体（以下、「箱」ともいう。）１と、遊技機本体１１０と、玉貸機１２０と、球計数装置１３０と、玉回収部１４０とを備えている。なお、箱１を含め、各要素の形状や大きさなどは、図示されたものに限定されない。
【００１３】
玉貸機１２０は、遊技機本体１１０の側方の一方に配置され、遊技機本体１１０に遊技球Ｂを供給する。遊技機本体１１０から落下した遊技球Ｂを収容する箱１は、遊技機本体１１０の下方に配置されている。球計数装置１３０は、遊技機本体１１０の下方で、箱１の玉貸機１２０が配置された側に配置されている。球計数装置１３０には、箱１から遊技球Ｂが流れてくる。また、玉貸機１２０の下方には、球計数装置１３０を通過した遊技球Ｂを回収する玉回収部１４０が、玉貸機１２０と一体的に配置されている。
【００１４】
次に、遊技機本体１１０について詳しく説明する。遊技機本体１１０は、本体枠２０と本体扉３０とを備えている。本体扉３０は、本体枠２０の前方に開閉自在に本体枠２０に軸支されると共に、本体枠２０の開口を閉鎖する。本体扉３０は、上皿３１及び下皿３２を前面に有する。また、本体扉３０には、遊技盤３３が、本体扉３０の前面側から視認可能に設けられている。
【００１５】
本体扉３０の下端は、下皿３２の下端と本体枠２０との間に位置し、本体枠２０の下部は、本体扉３０によって閉鎖されない。そして、本体枠２０における本体扉３０よりも下方の前面側に、箱１及び球計数装置１３０が配置されている。ここで、箱１は、下皿３２の下方に配置されている。
【００１６】
上皿３１は、玉貸機１２０から遊技機本体１１０に供給された遊技球Ｂを一時的に収容する皿である。一方、下皿３２は、遊技の結果に応じて得られた遊技球Ｂを一時的に収容する皿である。
【００１７】
下皿３２は、その底面に図示しないシャッターを備えており、シャッターを開放することにより、下皿３２に収容されている遊技球Ｂを、下皿３２の下方に配置された箱１に落下させることができる。
【００１８】
玉貸機１２０の前面には、硬貨投入口１２１、ＩＣカード挿入口１２２、遊技球Ｂを遊技機本体１１０の上皿３１に供給する玉供給ノズル１２３、その他各種表示ランプ、各種表示器、各種操作ボタン等が設けられている。
【００１９】
球計数装置１３０は、図示しないセンサー等から構成される球計数ユニットを備えており、箱１から流れてきた遊技球Ｂをカウントする。玉回収部１４０は、後ろ側に図示しない排出口を備えており、遊技球Ｂは、図示しない回収装置に送られる。
【００２０】
（（箱１の構成））
以下、第１実施形態における箱１を、図２、図３及び図４を参照しつつ、詳細に説明する。箱１は、図２及び図３に示すように、平面視において、隅が丸い長方形状を有している。箱１の材質は、弾性変形するものが好ましく、特に樹脂が好ましい。例えば、ＡＢＳ（Ａｃｒｙｌｏｎｉｔｒｉｌｅ  Ｂｕｔａｄｉｅｎｅ  Ｓｔｙｒｅｎｅ  ）樹脂が挙げられる。箱１の形成方法は特に限定されないが、例えば、樹脂による一体成型によって得ることができる。
【００２１】
本発明の第１実施形態に係る箱１は、遊技機本体１１０から排出される遊技球Ｂを収容する箱状を、遊技球Ｂを受ける第１の底面部１０と、第１の底面部１０を囲う壁面部１１と、第１の底面部１０の壁面部１１と交わる位置に設けられ、周回方向に延在し、かつ、遊技球Ｂが通過不能な幅Ｗをもつ複数のスリット１２と、を備えている。遊技機本体１１０の一例として、パチンコ台本体が挙げられる。また、遊技球Ｂの一例として、パチンコ玉が挙げられる。
【００２２】
第１の底面部１０は、図１に示した下皿３２から落下した遊技球Ｂを上面である第１の面１０１で受ける。壁面部１１は、第１の底面部１０を囲って形成されている。ここで、図４において、第１の底面部１０は、壁面部１１の上下方向の略中間位置に形成されている。なお、第１の底面部１０の下面である第２の面１０２は、箱１の最下端から上方の位置に設けられている。
【００２３】
第１実施形態では、スリット１２は、第１の底面部１０の壁面部１１と交わる位置に周回方向に長くなるように延在して１１か所設けられているが、数は特に限定されない。数を少なくして、強度を保持できる範囲で１つのスリット１２を長くなるように延在させてもよい。また、スリット１２の幅Ｗは、遊技球Ｂの直径より小さい幅で設けられ、遊技球Ｂがスリット１２を通過不能となっている。また、スリット１２の周回方向の長さＬは特に限定されないが、第１の底面部１０の周囲長に対するスリット１２の周回方向の長さＬの合計の割合が、６５パーセント程度が好ましい。
【００２４】
さらに、複数のスリット１２は、周回方向に互いに近接して設けられている。隣り合うスリット１２の間は、第１の底面部１０に梁部１３を形成している。隣り合うスリット１２は、壁面部１１と繋がっている梁部１３が、遊技球Ｂの落下の衝撃により破壊されない程度に近接して設ける。
【００２５】
さらに、壁面部１１は、収容された遊技球Ｂを排出する排出部１４を備えている。第１実施形態では、排出部１４は、箱１の四隅のうち、遊技機本体１１０側で、球計数装置１３０側の隅の壁面部１１に排出口として設けられている。ここで、第１の底面部１０が、排出部１４を、第１の底面部１０に溝として備えていてもよい。
【００２６】
以下に遊技球Ｂの流れについて説明する。図１において、玉貸機１２０に硬貨の投入又はＩＣカードを挿入することにより、所定の数の遊技球Ｂが玉供給ノズル１２３から遊技機本体１１０の上皿３１に供給される。遊技球Ｂは、遊技機本体１１０の内部に送られ、遊技の結果に応じて決められた個数の遊技球Ｂが、遊技機本体１１０の下皿３２に送られる。遊技の結果に応じて下皿３２に貯まった遊技球Ｂは図示しないシャッターを開放することにより、勢いよく箱１に向かって落下する。落下した遊技球Ｂは、箱１の第１の底面部１０によって受け止められる。
【００２７】
箱１に落下した遊技球Ｂは、排出部１４から球計数装置１３０に向けて流れる。遊技球Ｂは、球計数装置１３０を通過してカウントされ、玉回収部１４０に送られて回収され循環利用される。
【００２８】
第１実施形態に係る箱１によれば、第１の底面部１０に、壁面部１１との交差する箇所にスリット１２を設けているので、第１の底面部１０の断面二次モーメントが小さくなり、第１の底面部１０が曲がり易くなり、スリット１２を設けない場合と比較して、落下してきた遊技球Ｂの衝撃を吸収してその跳ね返りを抑制できる。
【００２９】
また、スリット１２が、遊技球Ｂの直径より小さい幅Ｗを持つので遊技球Ｂがスリット１２を通り抜けて箱１から落下するのを抑制できる。スリット１２の幅Ｗは、遊技球Ｂの直径より小さい範囲内であれば、大きいほど梁部１３が長くなる。梁部１３が長くなることにより、第１の底面部１０の断面二次モーメントがより小さくなり、第１の底面部１０がより曲がり易くなるが、遊技球Ｂの落下の衝撃により梁部１３が破壊されない程度の幅Ｗにするのが好ましい。
【００３０】
さらに、複数のスリット１２が周回方向に長くなるように延在しているので、スリット１２の周回方向に占める割合が増え、第１の底面部１０の断面二次モーメントがより小さくなり、第１の底面部１０がより曲がり易くなり、落下してきた遊技球Ｂの衝撃を吸収してその跳ね返りをより抑制できる。
【００３１】
（第２実施形態）
以下に、第２実施形態における箱１Ａについて、図５を参照しつつ、説明する。第２実施形態における箱１Ａは、第１実施形態の箱１の第１の底面部１０の形状が異なる。第２実施形態における箱１Ａでは、第１の底面部１０Ａが、遊技球Ｂを受ける側の第１の面１０１Ａにおいて、遊技球Ｂを受ける位置を含む範囲が凸状となるように形成されている。ここで、凸状は、落下した遊技球Ｂが箱１Ａの周辺部に散らばる形状であれば特に限定されない。また、第１の底面部１０Ａの下面である第２の面１０２Ａについては、図５では平坦な場合を図示しているが、第１の面１０１Ａの凸状に合わせた形状としてもよい。
【００３２】
第２実施形態に係る箱１Ａによれば、落下した遊技球Ｂが箱１Ａの周辺部に散らばって分散しやすくなる。また、遊技球Ｂが排出部１４に流れ易くなり、遊技球Ｂが箱１Ａに滞留する時間が抑えられ、球計数装置１３０でのカウントを早く行える。
【００３３】
（第３実施形態）
以下に、第３実施形態における箱１Ｂについて、図６を参照しつつ、説明する。第３実施形態における箱１Ｂは、第１実施形態の箱１の第１の底面部１０に加え、第１の底面部１０の第１の面１０１とは反対側の第２の面１０２側に第２の底面部１５を備えている。
【００３４】
第３実施形態に係る箱１Ｂによれば、遊技球Ｂの落下により第１の底面部１０が撓んでも、第２の底面部１５に当たり、大きく撓むのを防ぐことができ、第１の底面部１０の破損を抑えることができる。
【００３５】
（変形例）
以上述べた各実施形態において、スリット１２は各実施形態で示したものに限らない。スリット１２の数、周回方向に互いに隣り合うスリット１２の間隔、スリット１２の幅Ｗ及びスリット１２の周回方向の長さＬは、箱１の大きさ及び材質、遊技球Ｂの落下の衝撃の大きさ等に応じて、梁部１３が破壊されないで、遊技機本体１１０から排出されて落下する遊技球Ｂが跳ね返って箱１からこぼれない適切な値を設計により選択することができる。
【００３６】
また、各実施形態では、第１の底面部１０は、壁面部１１の上下方向の略中央部に位置しているが、壁面部１１の下皿３２方向への高さが、第１の底面部１０で跳ね返った遊技球Ｂが箱１、１Ａの外に飛び出さない高さであれば、壁面部１１の上下方向の略中央部に位置していなくてもよい。例えば、最下部にあってもよい。このとき遊技球Ｂの落下により第１の底面部１０が撓むスペースを箱１、１Ａの下方に設けるのが好ましい。
【００３７】
また、第１の底面部１０、１０Ａは、排出部１４に遊技球Ｂが流れ易いように傾斜していてもよい。また、箱１、１Ａ、１Ｂの形成方法は特に限定されないが、例えば、樹脂による一体成型の他に、壁面部１１と第１の底面部１０、１０Ａ又は第２の底面部１５との接着、融着、嵌合による組み合わせ等による方法も用いることができる。
【００３８】
通常、複数の遊技機１００は、図示しないカウンター上に並んで配置、使用されるが、単体で使用されてもよい。
【００３９】
以上、各実施形態及び各変形例を用いて本発明を説明したが、本発明の技術的範囲はこれらに記載の範囲には限定されないことは言うまでもない。これらに、多様な変更又は改良を加えることが可能であることが当業者に明らかである。また、そのような変更又は改良を加えた形態も本発明の技術的範囲に含まれ得ることが、特許請求の範囲の記載から明らかである。
【００４０】
例えば、上記した箱１、１Ａ又は１Ｂの構成を、遊技球Ｂを球計数装置１３０に送るために遊技機本体１１０に組み込まれたものとしてではなく、遊技機本体１１０から独立して遊技球Ｂを収容する箱（いわゆる「ドル箱」）にも適用できる。
【符号の説明】
【００４１】
１、１Ａ、１Ｂ  箱（遊技球収容構造体）
１０  第１の底面部
１０１、１０１Ａ  第１の面（第１の底面部の）
１０２、１０２Ａ  第２の面（第１の底面部の）
１１  壁面部
１２  スリット
１３  梁部
１４  排出部
１５  第２の底面部
２０  本体枠
３０  本体扉
３１  上皿
３２  下皿
３３  遊技盤
１００  遊技機
１１０  遊技機本体
１２０  玉貸機
１２１  硬貨投入口
１２２  ＩＣカード挿入口
１２３  玉供給ノズル
１３０  球計数装置
１４０  玉回収部
Ｂ  遊技球
【図１】
2016220828.tif 000003
【図２】
2016220828.tif 000004
【図３】
2016220828.tif 000005
【図４】
2016220828.tif 000006
【図５】
2016220828.tif 000007
【図６】
2016220828.tif 000008